(57)【要約】      （修正有）【課題】箱状の本体にシロッコファンとモータを内蔵し、該本体の天壁から送風される空気を脇の下などの局所に効果的に送風できると共に、使用者の上着の内側に容易に装着でき、且つ作業にも支障が少ない上着内送風装置を提供する。【解決手段】空気流を上着と下着との間に送風するシロッコファンおよび該ファンを駆動するモータを内蔵し、且つ側面視が矩形状を呈する内外一対の側壁３，４、天壁５、底壁６、および左右一対の端壁７，８とから構成された箱状の本体２と、該本体２の外側壁３、底壁６、および端壁７，８に開設された空気取り入れ口１０〜１３と、本体２の天壁５に開設された空気放出口１５と、本体２の内側壁４における下着肌側に面する外側面に設けられ、且つ使用者のズボンのベルト、あるいは特設ベルトに支持するための通し孔１９用のホルダ１８と、を備えている、上着内送風装置１。【選択図】図１
0003182385.tif 000002
【実用新案登録請求の範囲】
【請求項１】
使用者(Ｕ)の上着(ｏｗ)と下着(ｕｗ)あるいは肌との間に空気流を送風する上着内送風装置(１，１′，１″)であって、
空気流を上着(ｏｗ)と下着(ｕｗ)あるいは肌との間に送風するシロッコファン(３０)および該ファン(３０)を駆動するモータ(３１)を内蔵し、且つ側面視が矩形状を呈する内外一対の側壁(３，４)、天壁(５)、底壁(６)、および左右一対の端壁(７，８)とから構成された箱状の本体(２)と、
上記本体(２)の外側壁(３)、底壁(６)、および少なくとも何れか一方の端壁(７，８)に開設された空気取り入れ口(１０，１１，１２，１３，１４)と、
上記本体の天壁(５)に開設された空気放出口(１５，３６，３８)と、
上記本体(２)の内側壁(４)における下着(ｕｗ)あるいは肌側に面する外側面に設けられ、且つズボン(ｚ)、スラックス、またはスカートのベルト(Ｂ)、あるいは特設ベルト(５０)に支持するための通し孔(１９)用のホルダ(１８)あるいはフック(４０)と、を備えている、
ことを特徴とする上着内送風装置(１，１′，１″)。
【請求項２】
前記特設ベルト(５０)は、胸および背中の周囲に沿って水平状に巻き付けられる横向きベルト(５０)であり、該横向きベルト(５０)に、シロッコファン(３０)および該ファンを内蔵した単数または複数の前記本体(２)が、前記ホルダ(１８)あるいはフック(４０)により取り付けられる、
ことを特徴とする請求項１に記載の上着内送風装置(１′)。
【請求項３】
前記特設ベルト(５０)は、胸側が左右一対であり且つ背中側が左右一対または１本に収束された肩掛けバンド(５４)と、該肩掛けバンド(５４)の下端に取り付けられる前記横向きベルト(５０)からなり、該横向きベルト(５０)は、上記肩掛けバンド(５４)の長さを調整することで所望の高さに調整可能である、
ことを特徴とする請求項２に記載の上着内送風装置(１″)。
【請求項４】
前記特設ベルト(５０)の横向きベルト(５０)には、前記本体(２)に内蔵されたモータ(３１)に電気的に接続されたリード線(４４)が着脱可能な電池(４２)の収納用ポケット(５２)が横方向に移動可能にして取り付けられている、
ことを特徴とする請求項２または３に記載の上着内送風装置(１′，１″)。
【請求項５】
前記本体(２)の天壁(５)に開設された複数の空気放出口(３６，３８)は、該天壁(５)から異なる上向き方向に沿って立設された複数の放出筒(３７，３９)に分割して形成されている、  
ことを特徴とする請求項１乃至４の何れか一項に記載の上着内送風装置（１，１′，１″）。
【請求項６】
前記本体(２)は、天壁(５)、底壁(６)、および左右一対の端壁(７，８)を内側と外側に分割した一対の外半体(２ａ)と内半体(２ｂ)とで組み立てられ、該外半体(２ａ)と内半体(２ｂ)との何れか一方における内側面には、前記シロッコファン(３０)およびモータ(３１)の収納ケース(２０)を支持する複数の位置決めピン(４ｐ)が内外方向に沿って突設されている、
ことを特徴とする請求項１乃至５の何れか一項に記載の上着内送風装置（１，１′，１″）。
【考案の詳細な説明】
【技術分野】
【０００１】
本考案は、例えば、夏季などにおける炎天下の屋外で各種の作業を行う作業者（使用者）の作業着（上着）の内側、あるいは消防隊員（使用者）などの防護服（上着）の内側を効果的に冷却するための上着内送風装置に関する。
【背景技術】
【０００２】
例えば、炎天下などの屋外において作業を行う作業者の体温上昇を防ぎ、前記作業の能率低下を抑制するため、各種の冷却装置が提案されている。
即ち、吸気孔を有するケース内にファンと複数個の保冷剤とを収納し、該ケースをベスト状の衣服の背面（背中側）収納部に収納すると共に、上記ケースから延びた２本のダクトをほぼ逆Ｕ状に曲げ、これらのダクトの先端を上記衣服の正面側に配置した冷却装置が提案されている（例えば、特許文献１参照）。
しかし、上記冷却装置のケースは、縦横がそれぞれ３０ｃｍ以下で且つ厚さが１０ｃｍ以下と大きな平板状であるため、前記ファンとこれを駆動するモータを収納が困難で、且つ収納すべき位置が前記衣服の背面収納部だけに限定されると共に、作業者が行う作業に伴う姿勢の変化に対応し難い、という問題があった。
【０００３】
一方、ファン、モータ、電池、および保冷剤を送風機本体の内部に備え、前記ファンにより前記送風機本体の外側面からその内部に流入した空気を上記保冷剤を収容した容器を通過させて冷却した後、上記送風機本体の上面および両側面の排気口から外部に送風可能とし、該送風機本体をストラップにより首に掛けるようにした携帯用扇風機も提案されている（例えば、特許文献２参照）。
しかし、上記携帯用扇風機では、送風機本体内にファン、モータ、電池、保冷剤、およびその収納容器を収納しているので、上記本体のサイズが比較的大きくなり且つ重くならざるを得ない。その結果、使用者の首付近に多大な疲労感を招き易いと共に、各種の動作に対応しにくい、という問題があった。
更に、前記特許文献１，２に記載の冷却装置や携帯用扇風機では、例えば、夏季の炎天下などの作業において、発汗が著しい脇の下、胸上部、あるいは首周りなどの局所に対し、冷却用の空気を効果的に送風し難い、という問題もあった。
【先行技術文献】
【特許文献】
【０００４】
【特許文献１】特開２０１２−２３７５３１号公報（第１〜８頁、図１〜６）
【特許文献２】実用新案登録第３１６５５０３号公報(第１〜１２頁、図１〜８)
【考案の概要】
【考案が解決しようとする課題】
【０００５】
本考案は、背景技術において説明した問題点を解決し、箱状の本体にシロッコファンとモータとを内蔵し、該本体の天壁から送風される空気を脇の下などの局所に効果的に送風できると共に、使用者の上着の内側に容易に装着でき、且つ作業にも支障が少ない上着内送風装置を提供する、ことを課題とする。
【課題を解決するための手段および考案の効果】
【０００６】
本考案は、前記課題を解決するため、シロッコファンとモータのみを比較的小さな箱状の本体に内蔵し、該本体をベルトあるいは特設ベルトの任意の位置に支持可能とした、ことに着想して成されたものである。
即ち、本考案の上着内送風装置（請求項１）は、使用者の上着と下着あるいは肌との間に空気流を送風する上着内送風装置であって、空気流を上着と下着あるいは肌との間に送風するシロッコファンおよび該ファンを駆動するモータを内蔵し、且つ側面視が矩形状を呈する内外一対の側壁、該天壁、底壁、および左右一対の端壁とから構成された箱状の本体と、該本体の外側壁、底壁、および少なくとも何れか一方の端壁に開設された空気取り入れ口と、上記本体の天壁に開設された空気放出口と、上記本体の内側壁における下着または肌側に面する外側面に設けられ、且つズボン、スラックス、またはスカートのベルト、あるいは特設ベルトに支持するための通し孔用のホルダあるいはフックと、を備えている、ことを特徴とする。
【０００７】
これによれば、シロッコファンとモータのみを内蔵する箱状の本体は、前記通し孔用のホルダあるいはフックにより、使用者のズボン、スラックス、またはスカートのベルト、あるいは特設ベルトに支持された状態で、前記外側壁、底壁、および少なくとも何れか一方の端壁に開設された空気取り入れ口から流入した空気を、上記ファンによって上記本体の天壁に開設された空気放出口から使用者の上着と下着との間、あるいは上着と肌との間に送風される。係る送風された空気流は、使用者の脇の下、胸上部、背中、あるいは首周りなどの局所になどの局所に送風され、体温の上昇を防ぐと共に、発汗した汗の蒸発に伴う蒸発潜熱によって、使用者に対し効果的な冷却効果を与えることができる。しかも、上記本体は、シロッコファンとモータのみを内蔵し、該モータに給電する電池は、別に上記ベルト、特設ベルト、あるいは上着や下着のポケットに収容することで、使用者が望む任意の位置に容易且つ自由自在に装着することが可能である。従って、炎天下や高温環境において各種の作業を行う使用者（作業者）に対し、高温や発汗に伴う作業能率の低下を防ぎ、安全且つ快適に作業を行わしめることが可能となる。
【０００８】
尚、前記上着には、屋外での作業時に着用する各種の作業着、警察官またはガードマンなどが着用する警備用上着または防護用上着、あるいは消防者が着用する防火・耐熱型の防護用上着などが含まれる。
また、前記下着は、上着の内側に着用され、各種の肌着などが含まれる。
更に、前記箱状の本体における内外一対の側壁は、側面視で矩形（正方形または長方形）状である。
また、前記本体の内側壁の外側面に設ける前記ホルダは、前記ベルトあるいは特設ベルトの横向きベルトを挿通させるべく縦長の挿通孔を有する。
更に、前記本体の内側壁の外側面に設けるホルダは、前記ベルトまたは横向きベルトを挿通させ、上記箱体の内側壁の外側面に設けるフックは、上記ベルト、横向きベルト、ズボンまたはスカートの上辺に下向きに架設するものである。
加えて、前記シロッコファンとモータは、両者をユニット化した後述する収納ケースの形態が望ましい。
【０００９】
また、本考案には、前記特設ベルトは、胸および背中の周囲に沿って水平状に巻き付けられる横向きベルトであり、該横向きベルトに、シロッコファンおよび該ファンを内蔵した単数または複数の前記本体が、前記ホルダあるいはフックにより取り付けられる、上着内送風装置（請求項２）も含まれる。
これによれば、前記ファンおよび該ファンを内蔵した本体が特設ベルトの横向きベルトに取り付けられるので、ズボンなどのベルトよりも高い位置である胸付近および背中上部における所望の位置に上記本体を容易にセットできる。従って、発汗作用が著しい脇の下、胸上部、あるいは首周りなどの局所に対し、効果的に送風することにより、使用者に対し冷却感を効果的且つ確実に与えられる。
【００１０】
更に、本考案には、前記特設ベルトは、胸側が左右一対であり且つ背中側が左右一対または１本に収束された肩掛けバンドと、該肩掛けバンドの下端に取り付けられる前記横向きベルトからなり、該横向きベルトは、前記肩掛けバンドの長さを調整することで所望の高さに調整可能である、上着内送風装置（請求項３）も含まれる。
これによれば、前記横向きベルトの高さが容易に調整できるので、使用者ごとに望ましい位置に前記ファンおよび該ファンを内蔵した本体を装着でき、一層確実に脇の下などの局所に対し、一層効果的に送風することができる。しかも、上記本体を複数個併用する場合であっても、これらの重量を十分に支えられるので、長時間にわたって使用者に冷却感を効果的且つ確実に与えられる。
尚、背中側が１本に収束された前記肩掛けバンドは、胸側および両肩が左右一対であったものを背中側でＹ字状に結束（集束）したものである。
【００１１】
また、本考案には、前記特設ベルトの横向きベルトには、前記本体に内蔵されたモータに電気的に接続されたリード線が着脱可能な電池の収納用ポケットが横方向に移動可能にして取り付けられている、上着内送風装置（請求項４）も含まれる。
これによれば、前記シロッコファンを駆動するモータの電源となる電池が、前記横向きベルトに横向きに移動可能に取り付けられるポケットに収納されるので、該電池を前記本体と共に、同じ横向きベルトにおける近接した位置に容易に装着できる。従って、使用者の作業に支障を来さず、安全で快適な作業が可能となる。
尚、前記モータの電源は、前記箱体から延びたリード線の先端に接続される電池であり、この電池には、特に限定されないが、出力（電力）、使用時間、および繰り返し利用する観点から、例えば、充電型リチウムイオン電池が推奨される。
また、上記電池は、使用者の上着の内ポケット、上記リード線をボタン同士の隙間から外側に導出し、前記特設ベルトの横向きベルトあるいは肩掛けバンドに取り付けた収納用ポケットに挿入され、常に使用者と共に移動可能とされる。
更に、上記電池は、例えば、使用者の上着の外ポケットに挿入され、常に使用者と共に移動可能としても良い。
また、前記ポケットは、上向きの開口部を有する樹脂や繊維などからなる袋状体であり、上記開口部は、柔軟性を有し、ポケットの上辺部に係止可能な面状係止テープ（例えば、登録商標：マジックテープ）を縫い付けた蓋で閉じられる。
加えて、前記リード線の中間にスイッチを配置すると、操作が容易となる。
【００１２】
更に、本考案には、前記本体の天壁に開設された複数の空気放出口は、該天壁から異なる上向き方向に沿って立設された複数の放出筒に分割して形成されている、上着内送風装置（請求項５）も含まれる。
これによれば、前記シロッコファンおよびモータを内蔵する単一の本体から異なる上向きの方向に沿って複数の空気流を送風できるので、例えば、使用者の脇の下と胸上部、あるいは、脇の下と背中上部なとの複数の局所に対し、更に一段と効果的な冷感を与えることが可能となる。
尚、前記複数の放出筒には、側面視でＶ字形状、レ字形状、↓形状、あるいはＵ字形状を呈する形態が含まれる。
【００１３】
加えて、本考案には、前記本体は、天壁、底壁、および左右一対の端壁を内側と外側に分割した一対の外半体と内半体とで組み立てられ、該外半体と内半体との何れか一方における内側面には、前記シロッコファンおよびモータの収納ケースを支持する複数の位置決めピンが内外方向に沿って突設されている、上着内送風装置（請求項６）も含まれる。
これによれば、前記本体の内側における所定の位置に対し、前記シロッコファンおよびモータを正確、迅速、且つ確実にセットできると共に、例えば、該本体を合成樹脂による射出成形、あるいはＡｌ合金Ｍｇ合金などの軽金属のダイカスト鋳造によって、正確な形状と寸法により安価に量産することが可能となる。
尚、前記複数の位置決めピンは、該ピンが内側に突設された外半体または内半体に収容される前記シロッコファンおよびモータの収納ケースの外周側に設けられた複数の貫通孔に個別に挿入されることで、該収納ケースの位置決めを果たす。
また、前記位置決めピンは、断面が円形で且つ先端側が先細の円錐形状を呈する形態のほか、断面が三角形以上の正多角形、十字形状、五稜以上の星形形状などの非円形状であり、且つ先端側が先細形状を呈する形態であっても良い。
更に、前記本体の外半体の外側壁には、そのほぼ全面に前記空気取り入れ口が形成され、該空気取り入れ口から本体内に流入した空気を前記シロッコファンの中心側に流入可能とされる。但し、上記空気取り入れ口の大半が隣接する上着により閉塞されても、底壁や両端壁の空気取り入れ口により空気を十分確保できる。
【図面の簡単な説明】
【００１４】
【図１】（Ａ）は本考案の送風装置の本体を示す正面図（外側面図）、（Ｂ）は該本体の右側面図（右端図）。
【図２】上記本体、電池、およびこれらを接続するリード線を示す斜視図。
【図３】上記本体の分解斜視図。
【図４】（Ａ）は上記本体の内半体の内面図、（Ｂ）は該本体の垂直断面図。
【図５】（Ａ）は異なる形態の内半体の内面図、（Ｂ）は該内半体を含む異なる形態の本体の右側面図。
【図６】（Ａ）,（Ｂ）は上記送風装置の使用状態を示す異なる角度の概略図。
【図７】（Ａ）,（Ｂ）は別の送風装置の使用状態を示す異なる角度の概略図。
【図８】（Ａ）,（Ｂ）は上記送風装置の応用状態を示す異なる角度の概略図。
【考案を実施するための形態】
【００１５】
以下において、本考案を実施するための形態について説明する。
図１（Ａ）は、本考案の上着内送風装置１を構成する本体２を示す正面図（外側面図）、図１（Ｂ）は該本体２の右側面図、図２は、該本体２と電池４２などの斜視図である。尚、以下において、上着内送風装置は送風装置と略称し、内・外とは、使用者の肌側を内側とし、使用者の上着側を外側として説明する。
本考案の送風装置１は、図１（Ａ）,（Ｂ）と図２に示すように、後述するシロッコファン(３０)およびこれを駆動するモータ(３１)を内蔵する箱状の本体２を少なくとも備えている。該本体２は、例えば、合成樹脂の射出成形体からなり、側面視が矩形（正方形または長方形）状の内外一対の側壁３，４（外側壁３、内側壁４）、天壁５、底壁６、および左右一対の端壁７，８から構成されている。
尚、上記本体２は、例えば、側面視の縦横が約７０ｍｍずつで且つ内外方向の厚みが約３５ｍｍであり、全体が比較的小型で且つ薄い箱形状のサイズである。
【００１６】
前記本体２の外側壁３には、側面（正面）視で横長の六角形を呈する複数の空気取り入れ口１０が、横方向に沿って隣接し且つ上下方向に沿って千鳥状にして開設されている。また、上記本体２の外側壁３と端壁７，８とに跨って、側面視で角形状を呈する複数の空気取り入れ口１１，１２が上下方向に沿って開設されている。更に、上記本体２の外側壁３と底壁６とに跨って、図１（Ａ），図２に示すように、側面視で角形状を呈する複数の空気取り入れ口１３が横方向に沿って開設されている。尚、後述するように、上記底壁６と内側壁４とに跨っても、上記同様の複数の空気取り入れ口１４が横方向に沿って開設されている。
前記本体２の天壁５における右側には、丈の低い角筒部１６が立設し、該角筒部１６の内側には、上向きの空気放出口１５が矩形状に開設されている。
尚、上記放出口１５は、図２に示すように、その中央部を内外方向に沿って連結する梁片１５ｃによって２分割されている。
【００１７】
また、図１（Ｂ）に示すように、前記本体２の内側壁４の使用者(Ｕ)側に面する外側面には、ズボン(ｚ)、スラックス、またはスカートのベルト(Ｂ)を通過させる縦長で且つ横向きの通し孔１９を形成するホルダ１８が形成されている。
更に、前記本体２は、図１（Ｂ），図２に示すように、天壁５、底壁６、および端壁７，８を外側と内側とに分割した外半体２ａと内半体２ｂとからなり、後述するように、シロッコファン３０およびモータ３１をユニット化した収納ケース２０は、上記内半体２ｂの内側に収容されている。かかる外半体２ａと内半体２ｂとの接合部には、かかる接合部に沿って一方の凸縁とこれを受け入れる他方の凹辺とが形成されている（何れも図示せず）。尚、外半体２ａと内半体２ｂとの接合部には、図示しない小ネジ結合用の貫通孔と雌ネジ孔とが一方および他方に複数組ずつ形成されている。
【００１８】
加えて、図１（Ａ），図２に示すように、前記本体２の端壁７の下部からは、モータ３１に電気的に接続されたリード線４４が延び出し、該リード線４４の先端に位置する接続端子４５は、水平断面が細い長円形で且つ全体が長円柱形状の電池４２における接続口４３に挿入（接続）可能とされている。尚、上記リード線４４の中間には、前記モータ３１用のスイッチ４６が配置されている。
前記本体２は、図３，図４（Ａ），（Ｂ）に示すように、使用者(Ｕ)側に近接する内半体２ｂの内側にシロッコファン３０およびモータ３１をユニット化した収納ケース２０が収納され且つ固定されている。該収納ケース２０は、全体が円盤形状を呈する外ケース２１と、その内側に回転可能に収容され且つ全体がハット形状のロータ２６と、これら両者の間に配設されたモータ３１とを備えている。
【００１９】
上記外ケース２１は、前記本体２の外側壁３および空気取り入れ口１０との間に間隔をおいて開口する円形の吸入口２２、ほぼ円筒形状で且つ図３などで右上に送風口３４を有する外周壁２３、その奥側（内側）で且つ前記本体２の内側壁４に隣接する円形状の基壁２４、および該基壁２４の中心部から外向き（水平）に突出した細い円筒形の軸受筒２５を備えている。外周壁２３の外側には、半径方向に沿って突出する一対の凸部２１ｖが対称に形成され、該凸部２１ｖごとにおいて内外方向に沿って貫通する貫通孔２１ｈには、内半体２ｂの内側面から外向き（水平）に突出する位置決めピン４ｐが個別に貫通している。該位置決めピン４ｐは、断面が十字形状で且つ先端（外端）側を先細状とされており、収納ケース２０を本体２の外・内半体２ａ，２ｂの内側における所定の位置に位置決めし且つ固定する。例えば、図３，図４（Ａ）に示すように、外ケース２１の送風口３４が本体２の空気放出口１５の内側に連続するように位置決めされる。
【００２０】
また、前記ロータ２６は、図４（Ｂ）に示すように、円筒形の頭部２７、その周辺から外周側に向けて円形に拡がる円盤２８、および頭部２７の中心部の内面から内向き（水平）に突出し、且つ前記外ケース２１の軸受筒２５内に回転可能に進入する軸ピン２９を備えている。上記円盤２８の外側面には、内外方向において円弧形状を呈する複数の羽根からなるシロッコファン３０が形成されている。各羽根（３０）の中心側は、外ケース２１の前記開口部２２の内側に露出している。尚、上記軸ピン２９と上記軸受筒２５との間には、図示しないベアリング（軸受）が介在している。
更に、前記モータ３１は、図４（Ｂ）に示すように、前記外ケース２１の軸受筒２５の外周面に互いに間隔を置いてリング状に配置した複数の電磁石３２と、前記ロータ２６の頭部２７の内周面に互いに間隔を置いてリング状に配置され且つ上記電磁石３２との間にも所要の隙間を有する複数の永久磁石３３とからなる。即ち、該モータ３１は、所謂アウターロータ型のブラシレスモータであり、電磁石３２に通電することで、ロータ２６とシロッコファン３０とが一体で回転する。
【００２１】
図５（Ａ）は、複数の空気放出口３６，３８を有する異なる形態の前記本体２の内半体２ｂおよびその内側に収容された収納ケース２０を示す側面図、図５（Ｂ）は、上記本体２の右側面図である。
上記本体２が前記の形態と異なるのは、図５（Ａ），（Ｂ）に示すように、本体２の天壁５における右側に、側面視でほぼＶ字形状を呈する一対の放出筒３７，３９を斜め上向きで且つ互いに異なる方向に突出し、該放出筒３７，３９には、前記収納ケース２０の送風口３４に連通する左右一対（複数）の空気放出口３８，３９が内設されている。そのため、図５（Ａ）中の実線の矢印で示すように、空気放出口３８，３９から異なる方向に対し空気流を放出させることができる。
また、図５（Ｂ）に示すように、前記本体２の内側壁４の使用者（Ｕ）側に面する外側面には、使用者（Ｕ）のズボン（ｚ）、スラックス、またはスカートなどの上辺に対し、該本体２を支持するための下向きで細い凹溝４１を有するフック４０が形成されている。
【００２２】
以上のような本体２、電池４２、および両者間を接続するリード線４４を備えた送風装置１は、以下にように使用される。
予め、使用者（Ｕ）のズボン（ｚ）などのベルト（Ｂ）を前記本体２におけるホルダ１８の通し孔１９に通すことで、該本体２を使用者（Ｕ）の腹上部に配置する。あるいは、ズボン（ｚ）などの上辺にフック４０を介して本体２を上記同様に支持する。尚、前記電池４２は、上着（ｏｗ）などの内ポケットに収納しておけば良い。また、上記本体２は、図５（Ａ）で示した形態であっても良い。
次に、前記スイッチ４６を入れてモータ３１を駆動させると、図４（Ａ），（Ｂ）中の破線の矢印で示すように、前記本体２の空気取り入れ口１０〜１４から該本体２の内側に流入した空気は、前記吸入口２２から外ケース２１の内側に送られ、図４中の灰色の矢印で示すように、高速回転するシロッコファン３０によって、図４中の実線の矢印で示すように、右上側の放出口３４および本体２の空気放出口１５から接線状で且つ上向きに加圧された空気流として放出される。
上向きに放出された空気流は、使用者(Ｕ)の脇の下、胸上部、背中、あるいは首周りなどの局所になどの局所に送風され、体温の上昇を防ぎ、発汗した汗の蒸発に伴う蒸発潜熱により、使用者に対し効果的な冷却効果を与えられる。従って、炎天下や高温環境において各種の作業を行う使用者（Ｕ：作業者）に対し、高温や発汗に伴う作業能率の低下を防ぎ、安全且つ快適に作業を実行させ得る。
【００２３】
図６（Ａ）は、前記本体２などを含む応用形態の送風装置１′、およびその使用状態を示す正面図、図６（Ｂ）は、該使用状態を示す右側面図である。
夏季などの炎天下で作業する使用者（作業者）Ｕは、図６（Ａ），（Ｂ）に示すように、ベルトＢによりズボンｚ、スラックス、またはスカート（何れも図示せず）を下半身に着用し、上半身には、下着（ｕｗ）とその上に作業用の上着（ｏｗ）とを着用することが一般的である。上記送風装置１′は、図示のように、前記本体２と、胸下部または腹上部の鳩尾付近と背中とに水平方向に沿って巻き付けた横向きベルト（特設ベルト）５０とからなり、該横向きベルト５０を上記本体２のホルダ１８の通し孔１９に通して該本体２を支持したものである。
尚、本体２は、その前記フック４０により横向きベルト５０の上辺側から該ベルト５０の水平方向における所望の位置に掛けて支持しても良い。
【００２４】
上記横向きベルト５０は、例えば、厚い布地からなり、一端にその長さを調節し且つ締め付けるバックル５３を有すると共に、前記電池４２を収容するため、縦長のポケット５２を横方向に沿って移動可能に支持している。該ポケット５２は、厚めの布地を全体的に長円筒形の袋状に成形したものである。係るポケット５２の内側に収容した電池４２の不用意な抜け出しを防ぐため、該ポケット５２の上端の開口部には、内外方向に沿って起伏可能な柔軟性を有する帯状の蓋片５１の基端部を装着しており、該蓋片５１の先端部と上記ポケット５２の外側面との間を、両者に縫い付けた面状係止テープ（登録商標：マジックテープ）によって着脱可能としている。
【００２５】
図６（Ａ），（Ｂ）に示すように、胸部の正面付近の横向きベルト５０に本体２を取り付け、ポケット５２に収容した電池４２との間をリード線４４を介して電気的に接続し、且つ前記スイッチ４６を入れると、前記モータ３１が駆動してシロッコファン３０が高速回転する。すると、図中の破線の矢印で示すように、上着ｏｗと下着ｕｗとの間の空気が、前記空気取り入れ口１０〜１４から本体２内に流入した後、図中の実線の矢印で示すように、本体２の空気放出口１５から上着ｏｗと下着ｕｗとの間を経て、胸上部、首筋、および脇の下付近に空気流となって送風される。その結果、使用者Ｕの体温の上昇を防ぎ、発汗した汗の蒸発に伴う蒸発潜熱により、前記ベルトＢの位置の場合よりも冷却効果を効果的に得られるので、作業能率の低下を防ぎ、安全で快適に作業を行うことができる。
尚、前記本体２は、横向きベルト５０における水平方向の取付位置を変更して、背中側にセットしたり、２個の本体２を併用して、両脇の下付近に配置しても良い。２個の本体２を併用する際には、前記電池４２とポケット５２を２組用いるか、あるいは２個の本体２と１個の電池４２およびポケット５２としても良い。また、本体２の外壁面３に開口する空気取り入れ口１０が上着ｏｗによりほぼ閉塞されても、残る空気取り入れ口１１〜１３から空気を十分に確保し得る。
【００２６】
図７（Ａ）は、前記本体２などを含む更なる応用形態の送風装置１″と、その使用状態を示す正面図、図７（Ｂ）は、該使用状態を示す右側面図である。
上記送風装置１″は、図７（Ａ），（Ｂ）に示すように、前記本体２および電池４２の収納用ポケット５２と、これらを前期同様に支持する横向きベルト５０と、該ベルト５０の胸（正面）側が左右一対で且つ背中側が左右一対または１本のほぼＹ字状に収束された肩掛けバンド５４とからなる。該送風装置１″では、横向きベルト５０と上記肩掛けバンド５４とによって、特設ベルトが構成されている。
上記肩掛けバンド５４における一対の胸側には、図示のように、高さ（長さ）調整用のバックル５６などが個別に取り付けられている。そのため、前記横向きベルト５０の高さを使用者Ｕの所望の位置に容易に調整できる。
【００２７】
以上のような送風装置１″によれば、図７（Ａ），（Ｂ）に示すように、前記本体２を胸側のほぼ正面に位置するように、前記横向きベルト５０に支持し、且つ脇寄りの位置に支持したポケット５２内の電池４２により、リード線４４とスイッチ４６を介して本体２内の前記モータ３１を駆動し且つシロッコファン３０を回転させることで、前記同様の効果が得られる。しかも、横向きベルト５０が、肩掛けバンド５４により高さを容易に調整できるので、前記本体２など所望の位置で長時間にわたり安定して支持することが可能となる。尚、図７（Ｂ）では、横向きベルト５０のバックル５３を脇腹付近としたが、ここ以外としても良い。
【００２８】
図８（Ａ），（Ｂ）は、前記送風装置１″の異なる仕様形態を示す正面図と右側面である。図示のように、前記同様に使用者Ｕの胸付近および背中に巻き付けた横向きベルト５０に対し、２個の前記本体２を胸側の左右両側にほぼ対称にして支持し、該本体２ごとのやや背中側に前記電池４２を個別に収納した２個のポケット５２を支持した形態である。この場合、図中の破線の矢印で示すように、前記同様に本体２内に流入した空気は、図中の実線の矢印で示すように、本体２の空気放出口１５から上着ｏｗと下着ｕｗとの間を経て、首筋、両肩付近、および脇の下付近に空気流として送風される。従って、発汗が著しい脇の下付近などの局所を一層効果的に冷却できるので、安全で安定した作業が保証可能となる。
尚、図８（Ｂ）では、電池４２収納用のポケット５２のセット位置を脇腹のやや背中側としたが、一対の本体２，２間、あるいは背中側としても良い。
また、前記送風装置１′，１″にも、図５（Ａ），（Ｂ）で示した本体２を用いても良い。
【００２９】
本考案は、以上において説明した各形態に限定されるものではない。
例えば、前記送風装置１，１′，１″は、例えば、製鉄用の高炉や製鋼用などの溶解炉などや消防要員の各種の高温作業環境において、季節に拘わらず利用できると共に、路上や駐車場や空港などの誘導員、警備員、警察官、機動隊委員、海上保安官、あるいは自衛官などの任務においても利用することが可能である。
また、前記本体２は、全体が箱形状で且つ上着ｏｗと下着ｕｗまたは肌との間に配置できれば、任意のサイズにすることができる。
更に、前記本体２などを支持した横向きベルト５０や該ベルト５０および肩掛けバンド５４を、使用者Ｕの肌に直に装着しても良く、これらの場合、本体２から送風された空気は、上着ｏｗと肌との間から首筋などに送風される。
また、前記モータ３１は、前記の型に限らず、インナーロータ型のブラシモータ、あるいはインナーロータ型のブラシレスモータとしても良い。
加えて、前記本体２の空気放出口１５を有する角筒部１６を若干上側に延ばし、その上側に角筒状の煙突部を立設し、その内側に四角筒形状とした蓄冷材入りのシート体を内設しても良い。
【産業上の利用可能性】
【００３０】
本考案によれば、箱状の本体にシロッコファンとモータを内蔵し、該本体の天壁から送風される空気を脇の下などの局所に効果的に送風できると共に、使用者の上着の内側に容易に装着できる上着内送風装置を確実に提供することができる。
【符号の説明】
【００３１】
１，１′，１″………上着内送風装置
２……………………本体
２ａ…………………外半体
２ｂ…………………内半体
３……………………外側壁
４……………………内側壁
４ｐ…………………位置決めピン
５……………………天壁
６……………………底壁
７，８………………端壁
１０〜１４…………空気取り入れ口
１５，３６，３８…空気放出口
１８…………………ホルダ
１９…………………通し孔
２０…………………収納ケース
３０…………………シロッコファン
３１…………………モータ
３７，３９…………放出筒
４０…………………フック
４２…………………電池
４４…………………リード線
５０…………………横向きベルト（特設ベルト）
５２…………………ポケット
５４…………………肩掛けバンド
Ｕ……………………使用者／作業者
Ｂ……………………ベルト
ｏｗ…………………上着（作業着）
ｕｗ…………………下着
【図１】
0003182385.tif 000003
【図２】
0003182385.tif 000004
【図３】
0003182385.tif 000005
【図４】
0003182385.tif 000006
【図５】
0003182385.tif 000007
【図６】
0003182385.tif 000008
【図７】
0003182385.tif 000009
【図８】
0003182385.tif 000010